(57)【特許請求の範囲】
【請求項１】
映像コンテンツデータから抽出された複数の顔画像を含む顔画像インデキシング情報と、前記映像コンテンツデータ内に含まれる複数の属性区間の内の少なくとも１つの所定属性区間の開始および終了の時点を規定する区間属性情報とを格納する記憶装置と、
前記顔画像インデキシング情報に含まれる複数の顔画像を前記所定属性区間内に属する第１の顔画像グループと前記所定属性区間以外の他の区間に属する第２の顔画像グループとに分類し、前記第１の顔画像グループおよび前記第２の顔画像グループのいずれか一方のグループに属する各顔画像を、他方のグループに属する各顔画像と区別して表示エリア上に表示する顔画像一覧表示手段とを具備することを特徴とする電子機器。
【請求項２】
前記複数の属性区間は少なくともコマーシャル区間と本編区間とを含み、
前記顔画像一覧表示手段は、前記コマーシャル区間に属する各顔画像を、前記本編区間に属する各顔画像と区別して前記表示エリア上に表示することを特徴とする請求項１記載の電子機器。
【請求項３】
前記複数の属性区間はコマーシャル区間、音楽が流れている音楽区間、および人物によるトークが行われているトーク区間を含む請求項１記載の電子機器。
【請求項４】
前記顔画像インデキシング情報は前記各顔画像が前記映像コンテンツデータ内に登場する時点を示すタイムスタンプ情報を含み、
前記顔画像一覧表示手段は、前記区間属性情報と前記複数の顔画像それぞれに対応するタイムスタンプ情報とに基づいて、前記顔画像インデキシング情報に含まれる複数の顔画像を前記１の顔画像グループと前記第２の顔画像グループとに分類する請求項１記載の電子機器。
【請求項５】
前記顔画像一覧表示手段は、前記一方のグループに属する各顔画像を他方のグループに属する各顔画像と区別して表示エリア上に表示するために、前記他方のグループに属する各顔画像が表示されない状態で前記一方のグループに属する各顔画像を前記表示エリア上に表示することを特徴とする請求項１記載の電子機器。
【請求項６】
前記顔画像一覧表示手段は、前記区間属性情報に基づいて、前記映像コンテンツデータの開始位置から終端位置までのシーケンス内における前記所定属性区間の位置を示すバー領域を含む区間バーをさらに表示することを特徴とする請求項１記載の電子機器。
【請求項７】
前記顔画像一覧表示手段は、前記顔画像インデキシング情報に含まれる複数の顔画像の一覧を前記表示エリア上に表示する第１の表示モードと、前記第１の顔画像グループおよび前記第２の顔画像グループのいずれか一方のグループに属する各顔画像を他方のグループに属する各顔画像と区別して前記表示エリア上に表示する第２の表示モードとを含む複数の表示モードの中から選択されたいずれか１つの表示モードで顔画像の一覧を前記表示エリア上に表示するように構成されており、前記顔画像の一覧が前記第１表示モードで前記表示エリア上に表示されている状態で、前記区間バーのバー領域がユーザによって選択された場合、使用する表示モードを前記第１表示モードから前記第２表示モードに切り替えることを特徴とする請求項６記載の電子機器。
【請求項８】
前記顔画像一覧表示手段は、前記所定属性区間が前記映像コンテンツデータの開始位置から終端位置までのシーケンス内に分散して存在する複数の部分区間を含む場合、前記映像コンテンツデータの開始位置から終端位置までのシーケンス内における前記複数の部分区間の位置それぞれを示す複数のバー領域を含む区間バーをさらに表示することを特徴とする請求項１記載の電子機器。
【請求項９】
前記顔画像一覧表示手段は、前記顔画像インデキシング情報に含まれる複数の顔画像の一覧を前記表示エリア上に表示する第１の表示モードと、前記第１の顔画像グループおよび前記第２の顔画像グループのいずれか一方のグループに属する各顔画像を他方のグループに属する各顔画像と区別して前記表示エリア上に表示する第２の表示モードとを含む複数の表示モードの中から選択されたいずれか１つの表示モードで顔画像の一覧を前記表示エリア上に表示するように構成されており、前記顔画像の一覧が前記第１表示モードで前記表示エリアに表示されている状態で、前記区間バー内の前記複数のバー領域の一つがユーザによって選択された場合、使用する表示モードを前記第１表示モードから前記第２表示モードに切り替え、且つ前記選択されたバー領域に対応する部分区間に属する各顔画像を、他の各顔画像と区別して表示することを特徴とする請求項８記載の電子機器。
【請求項１０】
前記区間属性情報は、前記映像コンテンツデータの各部分データ毎に歓声レベルおよび盛り上がりレベルの少なくとも一方を示すレベル情報を含み、
前記顔画像一覧表示手段は、前記レベル情報に基づいて、前記映像コンテンツデータの開始位置から終端位置までのシーケンス内における歓声レベルの変化および盛り上がりレベルの変化の少なくとも一方を示すレベル表示情報をさらに表示することを特徴とする請求項１記載の電子機器。
【請求項１１】
前記表示エリアに表示された顔画像の中の一つがユーザによって選択されている状態で前記映像コンテンツデータの再生を指示するイベントが入力された場合、前記選択されている顔画像が登場する時点に対応する時点から前記映像コンテンツデータの再生を開始する再生処理手段をさらに具備することを特徴とする請求項１記載の電子機器。
【請求項１２】
前記表示エリアは、複数の行および複数の列を含むマトリクス状に配置された複数の顔画像表示エリアを含み、前記複数の列それぞれには、前記映像コンテンツデータの総時間長を構成する複数の時間帯がそれぞれ割り当てられており、
前記顔画像一覧表示手段は、前記複数の顔画像それぞれに対応するタイムスタンプ情報に基づき、前記各列の顔画像表示エリア上に当該各列に割り当てられた時間帯に属する顔画像それぞれを並べて表示する第１の表示モードと、前記第１の顔画像グループおよび前記第２の顔画像グループのいずれか一方のグループに属する各顔画像を他方のグループに属する各顔画像と区別して前記表示エリア上に表示する第２の表示モードとを含む複数の表示モードの中から選択されたいずれか１つの表示モードで顔画像の一覧を前記表示エリア上に表示するように構成されていることを特徴とする請求項１記載の電子機器。
【請求項１３】
映像コンテンツに含まれる動画像データから複数の顔画像を抽出する第１のインデキシング処理と、前記映像コンテンツを分析し、前記映像コンテンツデータ内に含まれる複数の属性区間の内の少なくとも１つの所定属性区間の開始および終了の時点を規定する区間属性情報を出力する第２のインデキシング処理とを実行するインデキシング処理部と、
前記抽出された顔画像の一覧を表示エリア上に表示する顔画像一覧表示手段であって、顔画像表示エリア上には顔画像それぞれが並べて表示される、顔画像一覧表示手段とを具備し、
前記顔画像一覧表示手段は、
前記所定属性区間内に属する顔画像を検出し、前記検出された各顔画像を他の各顔画像と区別して前記表示エリアに表示するように構成されていることを特徴とする電子機器。
【請求項１４】
前記顔画像一覧表示手段は、前記区間属性情報に基づいて、前記映像コンテンツデータの開始位置から終端位置までのシーケンス内における前記所定属性区間の位置を示すバー領域を含む区間バーを表示し、前記区間バーのバー領域がユーザによって選択された場合、前記検出された各顔画像を他の各顔画像と区別して前記表示エリアに表示する請求項１３記載の電子機器。
【請求項１５】
前記複数の属性区間は少なくともコマーシャル区間と本編区間とを含み、
前記顔画像一覧表示手段は、前記コマーシャル区間に属する各顔画像を、前記本編区間に属する各顔画像と区別して前記表示エリア上に表示することを特徴とする請求項１３記載の電子機器。
【請求項１６】
前記複数の属性区間はコマーシャル区間、音楽が流れている音楽区間、および人物によるトークが行われているトーク区間を含む請求項１３記載の電子機器。
【請求項１７】
前記第１のインデキシング処理は、前記抽出された各顔画像が前記映像コンテンツデータ内に登場する時点を示すタイムスタンプ情報を出力する処理を含み、
前記顔画像一覧表示手段は、前記区間属性情報と前記複数の顔画像それぞれに対応する前記タイムスタンプ情報とに基づいて、前記所定属性区間内に属する顔画像を検出する請求項１３記載の電子機器。
【請求項１８】
映像コンテンツデータに登場する顔画像の一覧を表示する顔画像表示方法であって、
映像コンテンツに含まれる動画像データから複数の顔画像を抽出する第１のインデキシング処理と、前記映像コンテンツを分析し、前記映像コンテンツデータ内に含まれる複数の属性区間の内の少なくとも１つの所定属性区間の開始および終了の時点を規定する区間属性情報を出力する第２のインデキシング処理とを実行するステップと、
前記抽出された複数の顔画像を前記所定属性区間内に属する第１の顔画像グループと前記所定属性区間以外の他の区間に属する第２の顔画像グループとに分類するステップと、
前記第１の顔画像グループおよび前記第２の顔画像グループのいずれか一方のグループに属する各顔画像を、他方のグループに属する各顔画像と区別して表示エリア上に表示するステップとを具備することを特徴とする顔画像表示方法。
【請求項１９】
映像コンテンツに含まれる動画像データから複数の顔画像を抽出する第１のインデキシング処理と、前記映像コンテンツを分析し、前記映像コンテンツデータ内に含まれる複数の属性区間の内の少なくとも１つの所定属性区間の開始および終了の時点を規定する区間属性情報を出力する第２のインデキシング処理とを実行する手順と、
前記抽出された複数の顔画像を前記所定属性区間内に属する第１の顔画像グループと前記所定属性区間以外の他の区間に属する第２の顔画像グループとに分類する手順と、
前記第１の顔画像グループおよび前記第２の顔画像グループのいずれか一方のグループに属する各顔画像を、他方のグループに属する各顔画像と区別して表示エリア上に表示する手順とをコンピュータに実行させるためのプログラム。
【発明の詳細な説明】
【技術分野】
【０００１】
本発明は映像コンテンツデータに登場する顔画像を表示する電子機器および顔画像表示方法に関する。
【背景技術】
【０００２】
一般に、ビデオレコーダ、パーソナルコンピュータといった電子機器は、テレビジョン放送番組データのような各種映像コンテンツデータを記録および再生することが可能である。この場合、電子機器に格納された各映像コンテンツデータにはタイトル名が付加されるが、タイトル名だけでは、ユーザが、各映像コンテンツデータがどのような内容のものであるかを把握することは困難である。このため、映像コンテンツデータの内容を把握するためには、その映像コンテンツデータを再生することが必要となる。しかし、総時間長の長い映像コンテンツデータの再生には、たとえ早送り再生機能等を用いた場合であっても、多くの時間が要される。
【０００３】
特許文献１には、登場人物一覧表示機能を有する装置が開示されている。この装置は、映像コンテンツにおける登場人物の一覧として、映像コンテンツにおける登場人物それぞれの顔の画像を並べて表示する機能を有している。
【先行技術文献】
【特許文献】
【０００４】
【特許文献１】特開２００１−３０９２６９号公報
【発明の概要】
【発明が解決しようとする課題】
【０００５】
通常、多くの映像コンテンツデータは、例えばコマーシャル区間およびそれ以外の区間のような、複数種の属性区間を含んでいる。
【０００６】
しかし、特許文献１の登場人物一覧表示機能においては、属性区間については何ら考慮されておらず、登場人物それぞれの顔の画像が単純に表示されるのみである。したがって、各顔画像がどのような属性の区間に登場するものであるかをユーザに提示可能な新たなしく機能の実現が必要である。
【０００７】
また、特許文献１のように単純に登場人物の一覧を表示しただけでは、ユーザは、それら人物が映像コンテンツデータ内のどの辺りの時間帯に登場するのかを把握することも困難である。したがって、映像コンテンツデータ全体の中のどの辺りの時間帯にどの人物が登場するのかを提示するための機能の実現も必要である。
【０００８】
本発明は上述の事情を考慮してなされたものであり、映像コンテンツデータを再生することなく、ある特定の属性区間に着目して映像コンテンツデータの概要を提示することができる電子機器および顔画像表示方法を提供することを目的とする。
【課題を解決するための手段】
【０００９】
上述の課題を解決するため、請求項１に係る発明の電子機器は、映像コンテンツデータから抽出された複数の顔画像を含む顔画像インデキシング情報と、前記映像コンテンツデータ内に含まれる複数の属性区間の内の少なくとも１つの所定属性区間の開始および終了の時点を規定する区間属性情報とを格納する記憶装置と、前記顔画像インデキシング情報に含まれる複数の顔画像を前記所定属性区間内に属する第１の顔画像グループと前記所定属性区間以外の他の区間に属する第２の顔画像グループとに分類し、前記第１の顔画像グループおよび前記第２の顔画像グループのいずれか一方のグループに属する各顔画像を、他方のグループに属する各顔画像と区別して表示エリア上に表示する顔画像一覧表示手段とを具備することを特徴とする。
【００１０】
また、請求項１３に係る発明の電子機器は、映像コンテンツに含まれる動画像データから複数の顔画像を抽出する第１のインデキシング処理と、前記映像コンテンツを分析し、前記映像コンテンツデータ内に含まれる複数の属性区間の内の少なくとも１つの所定属性区間の開始および終了の時点を規定する区間属性情報を出力する第２のインデキシング処理とを実行するインデキシング処理部と、前記抽出された顔画像の一覧を表示エリア上に表示する顔画像一覧表示手段であって、顔画像表示エリア上には顔画像それぞれが並べて表示される、顔画像一覧表示手段とを具備し、前記顔画像一覧表示手段は、前記所定属性区間内に属する顔画像を検出し、前記検出された各顔画像を他の各顔画像と区別して前記表示エリアに表示するように構成されていることを特徴とする。
【発明の効果】
【００１１】
本発明によれば、映像コンテンツデータを再生することなく、ある特定の属性区間に着目して映像コンテンツデータの概要を提示することができる。
【図面の簡単な説明】
【００１２】
【図１】本発明の一実施形態に係る電子機器の概観の例を示す斜視図。
【図２】同実施形態の電子機器のシステム構成の例を示すブロック図。
【図３】同実施形態の電子機器の顔画像一覧表示機能を説明するためのブロック図。
【図４】同実施形態の電子機器で用いられる区間属性情報（属性検出結果情報）の例を示す図。
【図５】同実施形態の電子機器で用いられるプログラムの機能構成を示すブロック図。
【図６】同実施形態の電子機器によって表示装置に表示されるインデキシングビュー画面の例を示す図。
【図７】図６のインデキシングビュー画面内に含まれる顔サムネイル表示エリアの構成例を示す図。
【図８】図６のインデキシングビュー画面内に含まれる、顔サムネイル表示エリアとじゃばらサムネイル表示エリアとの関係を説明するための図。
【図９】図６のインデキシングビュー画面内に含まれる顔サムネイル表示エリア上に特定属性区間に属する顔画像の一覧を表示した状態を示す図。
【図１０】図６のインデキシングビュー画面内に含まれる顔サムネイル表示エリア上に他の特定属性区間に属する顔画像の一覧を表示した状態を示す図。
【図１１】図６のインデキシングビュー画面内に含まれる顔サムネイル表示エリア上にさらに他の特定属性区間に属する顔画像の一覧を表示した状態を示す図。
【図１２】図６のインデキシングビュー画面内に配置される区間バーの構成例を示す図。
【図１３】同実施形態の電子機器によって実行される顔画像一覧表示処理の手順の例を示すフローチャート。
【図１４】同実施形態の電子機器によって顔画像それぞれがカテゴリ別に分類された様子を示す図。
【図１５】同実施形態の電子機器によって実行される、特定属性区間に着目した顔画像一覧を表示する処理の手順の例を示すフローチャート。
【図１６】同実施形態の電子機器によって実行される再生処理の手順の例を示すフローチャート。
【発明を実施するための形態】
【００１３】
以下、図面を参照して、本発明の実施形態を説明する。  
まず、図１および図２を参照して、本発明の一実施形態に係る電子機器の構成を説明する。本実施形態の電子機器は、例えば、情報処理装置として機能するノートブック型の携帯型パーソナルコンピュータ１０から実現されている。
【００１４】
このパーソナルコンピュータ１０は、放送番組データ、外部機器から入力されるビデオデータといった、映像コンテンツデータ（オーディオビジュアルコンテンツデータ）を記録および再生することができる。即ち、パーソナルコンピュータ１０は、テレビジョン放送信号によって放送される放送番組データの視聴および録画を実行するためのテレビジョン（ＴＶ）機能を有している。このＴＶ機能は、例えば、パーソナルコンピュータ１０に予めインストールされているＴＶアプリケーションプログラムによって実現されている。また、ＴＶ機能は、外部のＡＶ機器から入力されるビデオデータを記録する機能、および記録されたビデオデータおよび記録された放送番組データを再生する機能も有している。
【００１５】
さらに、パーソナルコンピュータ１０は、パーソナルコンピュータ１０に格納されたビデオデータ、放送番組データのような映像コンテンツデータに登場する人物の顔画像の一覧等を表示する顔画像一覧表示機能を有している。この顔画像一覧表示機能は、例えば、ＴＶ機能内にその一機能として実装されている。顔画像一覧表示機能は、映像コンテンツデータの概要等をユーザに提示するための映像インデキシング機能の一つである。この顔画像一覧表示機能は、映像コンテンツデータ全体の中のどの時間帯にどの人物が登場するのかをユーザに提示することができる。また、この顔画像一覧表示機能は、映像コンテンツデータ内に含まれる所定の属性区間に着目して人物の一覧を表示することもできる。
【００１６】
図１はコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれている。
【００１７】
ディスプレイユニット１２は、コンピュータ本体１１に対し、コンピュータ本体１１の上面が露出される開放位置とコンピュータ本体１１の上面を覆う閉塞位置との間を回動自在に取り付けられている。コンピュータ本体１１は薄い箱形の筐体を有しており、その上面にはキーボード１３、本コンピュータ１０をパワーオン／パワーオフするためのパワーボタン１４、入力操作パネル１５、タッチパッド１６、およびスピーカ１８Ａ，１８Ｂなどが配置されている。
【００１８】
入力操作パネル１５は、押されたボタンに対応するイベントを入力する入力装置であり、複数の機能をそれぞれ起動するための複数のボタンを備えている。これらボタン群には、ＴＶ機能（視聴、録画、録画された放送番組データ／ビデオデータの再生）を制御するための操作ボタン群も含まれている。また、コンピュータ本体１１の正面には、本コンピュータ１０のＴＶ機能をリモート制御するリモコンユニットとの通信を実行するためのリモコンユニットインタフェース部２０が設けられている。リモコンユニットインタフェース部２０は、赤外線信号受信部などから構成されている。
【００１９】
コンピュータ本体１１の例えば右側面には、ＴＶ放送用のアンテナ端子１９が設けられている。また、コンピュータ本体１１の例えば背面には、例えばＨＤＭＩ(high-definition multimedia interface)規格に対応した外部ディスプレイ接続端子が設けられている。この外部ディスプレイ接続端子は、放送番組データのような映像コンテンツデータに含まれる映像データ（動画像データ）を外部ディスプレイに出力するために用いられる。
【００２０】
次に、図２を参照して、本コンピュータ１０のシステム構成について説明する。
【００２１】
本コンピュータ１０は、図２に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ＬＡＮコントローラ１１０、ハードディスクドライブ（ＨＤＤ）１１１、ＤＶＤドライブ１１２、ビデオプロセッサ１１３、メモリ１１３Ａ、カードコントローラ１１３、無線ＬＡＮコントローラ１１４、IEEE 1394コントローラ１１５、エンベデッドコントローラ／キーボードコントローラＩＣ（ＥＣ／ＫＢＣ）１１６、ＴＶチューナ１１７、およびＥＥＰＲＯＭ１１８等を備えている。
【００２２】
ＣＰＵ１０１は本コンピュータ１０の動作を制御するプロセッサであり、ハードディスクドライブ（ＨＤＤ）１１１から主メモリ１０３にロードされる、オペレーティングシステム（ＯＳ）２０１、およびＴＶアプリケーションプログラム２０２のような各種アプリケーションプログラムを実行する。ＴＶアプリケーションプログラム２０２はＴＶ機能を実行するためのソフトウェアである。このＴＶアプリケーションプログラム２０２は、ＴＶチューナ１１７によって受信された放送番組データを視聴するためのライブ再生処理、受信された放送番組データをＨＤＤ１１１に記録する録画処理、およびＨＤＤ１１１に記録された放送番組データ／ビデオデータを再生する再生処理等を実行する。また、ＣＰＵ１０１は、ＢＩＯＳ−ＲＯＭ１０９に格納されたＢＩＯＳ（Basic Input Output System）も実行する。ＢＩＯＳはハードウェア制御のためのプログラムである。
【００２３】
ノースブリッジ１０２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、PCI EXPRESS規格のシリアルバスなどを介してＧＰＵ１０５との通信を実行する機能も有している。
【００２４】
ＧＰＵ１０５は、本コンピュータ１０のディスプレイモニタとして使用されるＬＣＤ１７を制御する表示コントローラである。このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ装置１にデジタル映像信号を送出することもできる。
【００２５】
ＨＤＭＩ端子２は上述の外部ディスプレイ接続端子である。ＨＤＭＩ端子２は、非圧縮のデジタル映像信号と、デジタルオーディオ信号とを一本のケーブルでテレビのような外部ディスプレイ装置１に送出することができる。ＨＤＭＩ制御回路３は、ＨＤＭＩモニタと称される外部ディスプレイ装置１にデジタル映像信号をＨＤＭＩ端子２を介して送出するためのインタフェースである。
【００２６】
サウスブリッジ１０４は、ＬＰＣ（Low Pin Count）バス上の各デバイス、およびＰＣＩ（Peripheral Component Interconnect）バス上の各デバイスを制御する。また、サウスブリッジ１０４は、ハードディスクドライブ（ＨＤＤ）１１１およびＤＶＤドライブ１１２を制御するためのＩＤＥ（Integrated Drive Electronics）コントローラを内蔵している。さらに、サウスブリッジ１０４は、サウンドコントローラ１０６との通信を実行する機能も有している。
【００２７】
またさらに、サウスブリッジ１０４には、PCI EXPRESS規格のシリアルバスなどを介してビデオプロセッサ１１３が接続されている。
【００２８】
ビデオプロセッサ１１３は、前述の映像インデキシングに関する各種処理を実行するプロセッサである。このビデオプロセッサ１１３は、映像インデキシング処理を実行するためのインデキシング処理部として機能する。すなわち、映像インデキシング処理においては、ビデオプロセッサ１１３は、映像コンテンツデータに含まれる動画像データから複数の顔画像を抽出すると共に、抽出された各顔画像が映像コンテンツデータ内に登場する時点を示すタイムスタンプ情報、等を出力する。顔画像の抽出は、例えば、動画像データの各フレームから顔領域を検出する顔検出処理、検出された顔領域をフレームから切り出す切り出し処理等によって実行される。顔領域の検出は、例えば、各フレームの画像の特徴を解析して、予め用意された顔画像特徴サンプルと類似する特徴を有する領域を探索することによって行うことができる。顔画像特徴サンプルは、多数の人物それぞれの顔画像特徴を統計的に処理することによって得られた特徴データである。
【００２９】
さらに、ビデオプロセッサ１１３は、例えば、映像コンテンツデータ内に含まれるコマーシャル（ＣＭ）区間を検出する処理、および音声インデキシング処理も実行する。通常、各ＣＭ区間の時間長は、予め決められた幾つかの時間長の内の１つに設定されている。また、ＣＭ区間の前後には一定時間長の無音期間が存在する。したがって、ＣＭ区間の検出処理においては、例えば、映像コンテンツデータ内に含まれるオーディオデータが分析され、一定時間長の無音区間が検出される。そして、検出された連続する２つの無音区間に挾まれ、且つ一定値以上の時間長を有する部分データを含む区間が、ＣＭ区間として検出される。
【００３０】
音声インデキシング処理は、映像コンテンツデータ内に含まれるオーディオデータを分析して、映像コンテンツデータ内に含まれる、音楽が流れている音楽区間、および人物によるトークが行われているトーク区間を検出するインデキシング処理である。音声インデキシング処理においては、例えば、オーディオデータの周波数スペクトルの特徴が分析され、その周波数スペクトルの特徴に応じて、音楽区間、およびトーク区間が検出される。音楽区間に対応する周波数スペクトルの特徴と、トーク区間に対応する周波数スペクトルの特徴とは互いに異なるので、周波数スペクトルの特徴を分析することによって、音楽区間およびトーク区間のそれぞれを検出することができる。また、音楽区間に対応する周波数スペクトルの特徴とトーク区間に対応する周波数スペクトルの特徴とが混ざり合った周波数スペクトルを有する区間は、音楽区間とトーク区間とが重なった重畳区間として検出することができる。
【００３１】
トーク区間の検出処理においては、例えば、話者セグメンテーション技術または話者クラスタリング技術等が用いられ、これによって話者の切り替わりも検出される。同一の話者（または同一の話者グループ）が連続してトークしている期間が、一つのトーク区間となる。
【００３２】
さらに、音声インデキシング処理は、映像コンテンツデータ内の各部分データ（一定時間長のデータ）毎に歓声レベルを検出する歓声レベル検出処理、および映像コンテンツデータ内の各部分データ毎に盛り上がりレベルを検出する盛り上がりレベル検出処理を実行する。
【００３３】
歓声レベルは、歓声の大きさを示す。歓声は、大勢の人の声が合わさった音である。大勢の人の声が合わさった音は、ある特定の周波数スペクトルの分布を有する。歓声レベル検出処理においては、映像コンテンツデータに含まれるオーディオデータの周波数スペクトルが分析され、そしてその周波数スペクトルの分析結果に従って、各部分データの歓声レベルが検出される。盛り上がりレベルは、ある一定以上の音量レベルがある一定時間長以上連続的に発生する区間の音量レベルである。例えば、比較的盛大な拍手、大きな笑い声のような音の音量レベルが、盛り上がりレベルである。盛り上がりレベル検出処理においては、映像コンテンツデータに含まれるオーディオデータの音量の分布が分析され、その分析結果に従って、各部分データの盛り上がりレベルが検出される。
【００３４】
メモリ１１３Ａは、ビデオプロセッサ１１３の作業メモリとして用いられる。インデキシング処理（ＣＭ検出処理、映像インデキシング処理、および音声インデキシング処理）を実行するためには多くの演算量が必要とされる。本実施形態においては、ＣＰＵ１０１とは異なる専用のプロセッサであるビデオプロセッサ１１３がバックエンドプロセッサとして使用され、このビデオプロセッサ１１３によってインデキシング処理が実行される。よって、ＣＰＵ１０１の負荷の増加を招くことなく、インデキシング処理を実行することが出来る。なお、ＣＭ検出処理は上述したようにオーディオデータを解析することによって実行することができるので、以下では、ＣＭ検出処理を音声インデキシング処理内の１つの処理として扱うことにする。
【００３５】
サウンドコントローラ１０６は音源デバイスであり、再生対象のオーディオデータをスピーカ１８Ａ，１８ＢまたはＨＤＭＩ制御回路３に出力する。
【００３６】
無線ＬＡＮコントローラ１１４は、たとえばIEEE 802.11規格の無線通信を実行する無線通信デバイスである。IEEE 1394コントローラ１１５は、IEEE 1394規格のシリアルバスを介して外部機器との通信を実行する。
【００３７】
エンベデッドコントローラ／キーボードコントローラＩＣ（ＥＣ／ＫＢＣ）１１６は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１１６は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１１６は、リモコンユニットインタフェース２０との通信を実行する機能を有している。
【００３８】
ＴＶチューナ１１７はテレビジョン（ＴＶ）放送信号によって放送される放送番組データを受信する受信装置であり、アンテナ端子１９に接続されている。このＴＶチューナ１１７は、例えば、地上波デジタルＴＶ放送のようなデジタル放送番組データを受信可能なデジタルＴＶチューナとして実現されている。また、ＴＶチューナ１１７は、外部機器から入力されるビデオデータをキャプチャする機能も有している。
【００３９】
次に、図３を参照して、ＴＶアプリケーションプログラム２０２によって実行される顔画像一覧表示機能について説明する。
【００４０】
放送番組データのような映像コンテンツデータに対するインデキシング処理（映像インデキシング処理、および音声インデキシング処理）は、上述したように、インデキシング処理部として機能するビデオプロセッサ１１３によって実行される。
【００４１】
ビデオプロセッサ１１３は、ＴＶアプリケーションプログラム２０２の制御の下、例えば、ユーザによって指定された録画済みの放送番組データ等の映像コンテンツデータに対してインデキシング処理を実行する。また、ビデオプロセッサ１１３は、ＴＶチューナ１１７によって受信された放送番組データをＨＤＤ１１１に格納する録画処理と並行して、当該放送番組データに対するインデキシング処理を実行することもできる。
【００４２】
映像インデキシング処理（顔画像インデキシング処理とも云う）においては、ビデオプロセッサ１１３は、映像コンテンツデータに含まれる動画像データをフレーム単位で解析する。そして、ビデオプロセッサ１１３は、動画像データを構成する複数のフレームそれぞれから人物の顔画像を抽出すると共に、抽出された各顔画像が映像コンテンツデータ内に登場する時点を示すタイムスタンプ情報を出力する。各顔画像に対応するタイムスタンプ情報としては、映像コンテンツデータの開始から当該顔画像が登場するまでの経過時間、または当該顔画像が抽出されたフレーム番号、等を使用することが出来る。
【００４３】
さらに、ビデオプロセッサ１１３は、抽出された各顔画像のサイズ（解像度）も出力する。ビデオプロセッサ１１３から出力される顔検出結果データ（顔画像、タイムスタンプ情報ＴＳ、およびサイズ）は、データベース１１１Ａに顔画像インデキシング情報として格納される。このデータベース１１１Ａは、ＨＤＤ１１１内に用意されたインデキシングデータ記憶用の記憶領域である。
【００４４】
さらに、映像インデキシング処理においては、ビデオプロセッサ１１３は、顔画像を抽出する処理と並行して、サムネイル画像取得処理も実行する。サムネイル画像は、映像コンテンツデータから例えば等時間間隔で抽出された複数のフレームの各々に対応する画像（縮小画像）である。すなわち、ビデオプロセッサ１１３は、顔画像を含むフレームであるか否かに関係なく、映像コンテンツデータから例えば所定の等時間間隔でフレームを順次抽出し、抽出した各フレームに対応する画像（サムネイル画像）と、そのサムネイル画像が出現する時点を示すタイムスタンプ情報ＴＳとを出力する。ビデオプロセッサ１１３から出力されるサムネイル画像取得結果データ（サムネイル、タイムスタンプ情報ＴＳ）も、データベース１１１Ａにサムネイルインデキシング情報として格納される。
【００４５】
また、音声インデキシング処理においては、ビデオプロセッサ１１３は、映像コンテンツに含まれるオーディオデータを分析して、映像コンテンツデータ内に含まれる複数種の属性区間（ＣＭ区間、音楽区間、およびトーク区間）を検出し、検出された各属性区間の開始および終了の時点を規定する区間属性情報を出力する。この区間属性情報は、例えば、各属性区間毎にその属性区間の開始時点および終了時点をそれぞれ示す時間情報から構成することができる。また、区間属性情報を、属性区間の開始時点を示す情報とその属性区間の時間長を示す情報とによって構成してもよい。
【００４６】
この区間属性情報は、属性検出結果情報としてデータベース１１１Ａに格納される。さらに、音声インデキシング処理においては、ビデオプロセッサ１１３は、上述の歓声レベル検出処理および盛り上がりレベル検出処理も実行する。これら歓声レベル検出処理の結果および盛り上がりレベル検出処理の結果も、上述の属性検出結果情報の一部としてデータベース１１１Ａに格納される。
【００４７】
属性検出結果情報（区間属性情報）は、図４に示されているように、例えば、ＣＭ区間テーブル、音楽区間テーブル、トーク区間テーブル、および歓声／盛り上がりテーブルから構成されている。
【００４８】
ＣＭ区間テーブルは、検出されたＣＭ区間の開始時点および終了時点を示すＣＭ区間属性情報を格納する。映像コンテンツデータの開始位置から終端位置までのシーケンス内に複数のＣＭ区間が存在する場合には、それら複数のＣＭ区間それぞれに対応するＣＭ区間属性情報がＣＭ区間テーブルに格納される。ＣＭ区間テーブルにおいては、検出された各ＣＭ区間毎に当該ＣＭ区間の開始時点および終了時点をそれぞれ示すスタートタイム情報およびエンドタイム情報が格納される。
【００４９】
音楽区間テーブルは、検出された音楽区間の開始時点および終了時点を示す音楽区間属性情報を格納する。映像コンテンツデータの開始位置から終端位置までのシーケンス内に複数の音楽区間が存在する場合には、それら複数の音楽区間それぞれに対応する音楽区間属性情報が音楽区間テーブルに格納される。音楽区間テーブルにおいては、検出された各音楽区間毎に当該音楽区間の開始時点および終了時点をそれぞれ示すスタートタイム情報およびエンドタイム情報が格納される。
【００５０】
トーク区間テーブルは、検出されたトーク区間の開始時点および終了時点を示す音楽区間属性情報を格納する。映像コンテンツデータの開始位置から終端位置までのシーケンス内に複数のトーク区間が存在する場合には、それら複数のトーク区間それぞれに対応するトーク区間属性情報がトーク区間テーブルに格納される。トーク区間テーブルにおいては、検出された各トーク区間毎に当該トーク区間の開始時点および終了時点をそれぞれ示すスタートタイム情報およびエンドタイム情報が格納される。
【００５１】
歓声／盛り上がりテーブルは、映像コンテンツデータ内の一定時間長の部分データ（タイムセグメントＴ１，Ｔ２，Ｔ３，…）それぞれにおける歓声レベルおよび盛り上がりレベルを格納する。
【００５２】
図３に示されているように、ＴＶアプリケーションプログラム２０２は、顔画像一覧表示機能を実行するための顔画像一覧表示処理部３０１を含んでいる。この顔画像一覧表示処理部３０１は、例えば、インデキシングビューワプログラムとして実現されており、データベース１１１Ａに格納されたインデキシング情報（顔画像インデキシング情報、サムネイルインデキシング情報、区間属性情報、等）を用いて、映像コンテンツデータの概要を俯瞰するためのインデキシングビュー画面を表示する。
【００５３】
具体的には、顔画像一覧表示処理部３０１は、データベース１１１Ａから顔画像インデキシング情報（顔画像、タイムスタンプ情報ＴＳ、およびサイズ）を読み出し、そしてその顔画像インデキシング情報を用いて、映像コンテンツデータに登場する人物の顔画像の一覧を、インデキシングビュー画面上の２次元の表示エリア（以下、顔サムネイル表示エリアと称する）上に表示する。この場合、顔画像一覧表示処理部３０１は、映像コンテンツデータの総時間長を、例えば等間隔で、複数の時間帯に分割し、時間帯毎に、抽出された顔画像の内から当該時間帯に登場する顔画像を所定個選択する。そして、顔画像一覧表示処理部３０１は、時間帯毎に、選択した所定個の顔画像それぞれを並べて表示する。
【００５４】
すなわち、２次元の顔サムネイル表示エリアは、複数の行および複数の列を含むマトリクス状に配置された複数の顔画像表示エリアを含む。複数の列それぞれには、映像コンテンツデータの総時間長を構成する複数の時間帯が割り当てられている。具体的には、例えば、複数の列それぞれには、映像コンテンツデータの総時間長をこれら複数の列の数で等間隔に分割することによって得られる、互いに同一の時間長を有する複数の時間帯がそれぞれ割り当てられる。もちろん、各列に割り当てられる時間帯は必ずしも同一の時間長でなくてもよい。
【００５５】
顔画像一覧表示処理部３０１は、顔画像それぞれに対応するタイムスタンプ情報ＴＳに基づき、各列内に属する行数分の顔画像表示エリア上に、当該各列に割り当てられた時間帯に属する顔画像それぞれを、例えば、それら顔画像の出現頻度順（顔画像の検出時間長順）のような順序で並べて表示する。この場合、例えば、当該各列に割り当てられた時間帯に属する顔画像の内から、出現頻度（登場頻度）の高い順に顔画像が行数分だけ選択され、選択された顔画像が登場頻度順に上から下に向かって並んで配置される。もちろん、出現頻度順ではなく、各列に割り当てられた時間帯に出現する顔画像それぞれを、その出現順に並べて表示してもよい。
【００５６】
この顔画像一覧表示機能により、映像コンテンツデータ全体の中のどの時間帯にどの人物が登場するのかをユーザに分かりやすく提示することができる。顔サムネイル表示エリアの具体的な構成例については、図６以降で後述する。
【００５７】
また、顔画像一覧表示処理部３０１は、データベース１１１Ａからサムネイルインデキシング情報（サムネイル、タイムスタンプ情報ＴＳ）を読み出し、そしてサムネイルインデキシング情報を用いて、サムネイル画像それぞれを、顔サムネイル表示エリアの下方側または上方側の一方に配置されたサムネイル表示エリア（以下、じゃばらサムネイル表示エリアと称する）上に、それらサムネイル画像の出現時間順に一列に並べて表示する。
【００５８】
映像コンテンツデータによっては、顔画像が登場しない時間帯も存在する。したがって、インデキシングビュー画面上に顔サムネイル表示エリアのみならず、じゃばらサムネイル表示エリアも表示することにより、顔画像が登場しない時間帯においても、その時間帯の映像コンテンツデータの内容をユーザに提示することができる。
【００５９】
さらに、顔画像一覧表示処理部３０１は、データベース１１１Ａから区間属性情報（ＣＭ区間属性情報、音楽区間属性情報、トーク区間属性情報）を読み出し、その区間属性情報に従って、映像コンテンツデータの開始位置から終端位置までのシーケンス内における各属性区間（ＣＭ区間、音楽区間、トーク区間）の位置（開始時点から終了時点までの区間）を示すバー領域を含む区間バーを、インデキシングビュー画面上の顔サムネイル表示エリアの下方側または上方側の一方に表示する。この区間バーは、例えば、３つのサブ区間バー、つまりＣＭ区間の位置を示すＣＭ区間バー、音楽区間の位置を示す音楽区間バー、トーク区間の位置を示すトーク区間バーを含んでいる。
【００６０】
シーケンス内に複数のＣＭ区間が存在する場合、複数のＣＭ区間それぞれの位置を示す複数のバー領域がＣＭ区間バー内に表示される。同様に、シーケンス内に複数の音楽区間が存在する場合には複数の音楽区間それぞれの位置を示す複数のバー領域が音楽区間バー内に表示され、シーケンス内に複数のトーク区間が存在する場合には複数のトーク区間それぞれの位置を示す複数のバー領域がトーク区間バー内に表示される。以下では、シーケンス内に分散して存在する複数のＣＭ区間の各々を部分ＣＭ区間と称し、シーケンス内に分散して存在する複数の音楽区間のそれぞれを部分音楽区間と称し、シーケンス内に分散して存在する複数のトーク区間のそれぞれを部分トーク区間と称する。
【００６１】
インデキシングビュー画面上に区間バーを表示することにより、顔サムネイル表示エリア内の各顔画像がどのような属性区間（ＣＭ区間、音楽区間、トーク区間）に登場する人物の顔画像であるかを、ユーザに提示することができる。したがって、ユーザは、登場人物と、区間属性とを考慮して、映像コンテンツデータ全体の中から再生を開始すべきデータ位置を見つけることができる。
【００６２】
さらに、顔画像一覧表示処理部３０１は、データベース１１１Ａから歓声レベル情報および盛り上がりレベル情報を読み出し、それら歓声レベル情報および盛り上がりレベル情報に従って、映像コンテンツデータの開始位置から終端位置までのシーケンス内における歓声レベルの変化および盛り上がりレベルの変化をそれぞれ示すグラフを、インデキシングビュー画面上の顔サムネイル表示エリアの下方側または上方側の一方に配置されたレベル表示エリア上に表示する。
【００６３】
このレベル表示エリアを見ることにより、ユーザに、映像コンテンツデータ内のどの辺りに大きな歓声が生じた区間が存在し、また映像コンテンツデータ内のどの辺りに盛り上がりの大きな区間が存在するかを提示することができる。ユーザは、登場人物と、区間属性と、歓声レベルと、盛り上がりレベルとを考慮して、映像コンテンツデータ全体の中から再生を開始すべきデータ位置を見つけることができる。
【００６４】
顔画像一覧表示処理部３０１は、区間属性情報（ＣＭ区間属性情報、音楽区間属性情報、トーク区間属性情報）と複数の顔画像それぞれにタイムスタンプ情報とを用いることにより、顔インデキシング情報に含まれる複数の顔画像の内からある特定の属性区間（ＣＭ区間、音楽区間、またはトーク区間）に属する顔画像を検出することができる。この検出結果に基づき、顔画像一覧表示処理部３０１は、例えば、ある特定の属性区間に属する顔画像群を表示する“特定属性区間顔画像表示状態”と、ある特定の属性区間以外の区間に属する顔画像群を表示する“特定属性以外区間顔画像表示状態”と、全ての顔画像群を対象に顔画像の一覧を表示する“全顔画像表示状態”との間で、顔画像一覧表示に使用する表示状態を切り替えることができる。
【００６５】
すなわち、顔画像一覧表示処理部３０１は、大別して、第１の表示モードと第２の表示モードとを有しており、これら第１の表示モードおよび第２の表示モードを選択的に使用して、顔画像の一覧を２次元の顔サムネイル表示エリアに表示する。
【００６６】
第１の表示モードは、ＣＭ区間、音楽区間、トーク区間のような属性区間とは無関係に、映像コンテンツデータ全体内の顔画像の一覧を２次元の顔サムネイル表示エリアに表示する表示モードである。第１の表示モードにおいては、顔インデキシング情報に含まれる複数の顔画像それぞれに対応するタイムスタンプ情報に基づき、２次元の顔サムネイル表示エリアの各列毎に、当該各列に割り当てられた時間帯に属する顔画像が行数分だけ選択され、その選択された顔画像が当該列内の顔画像表示エリアそれぞれの上に並べて表示される。
【００６７】
第２の表示モードは、ＣＭ区間、音楽区間、トーク区間の中から選択されたある特定の属性区間に着目して、顔画像の一覧を２次元の顔サムネイル表示エリア上に表示する表示モードである。第２の表示モードにおいては、顔インデキシング情報に含まれる複数の顔画像それぞれに対応するタイムスタンプ情報と、区間属性情報とに基づいて、複数の顔画像が、ある特定属性区間内に属する第１の顔画像グループと、ある特定属性区間以外に属する第２の顔画像グループとに分類される。そして、第１の顔画像グループおよび第２の顔画像グループの一方のグループに属する各顔画像が、他方のグループに属する各顔画像と区別された状態で２次元の顔サムネイル表示エリア上に表示される。具体的には、以下のような表示制御を利用することが出来る。
【００６８】
（１）第１の顔画像グループおよび第１の第２の顔画像グループの一方のグループに属する各顔画像のみを表示し、他方のグループに属する各顔画像を表示しない。
【００６９】
（２）第１の顔画像グループおよび第１の第２の顔画像グループの一方のグループに属する各顔画像を強調表示し、他方のグループに属する各顔画像を抑制表示する。
【００７０】
（３）第１の顔画像グループおよび第１の第２の顔画像グループの一方のグループに属する各顔画像を優先的に表示し、他方のグループに属する各顔画像群は、顔サムネイル表示エリア上に余裕があれば表示する。
【００７１】
したがって、例えば、第２表示モードにおいては、例えばＣＭ区間属性情報に基づいて、複数の顔画像をＣＭ区間に属する顔画像グループと、ＣＭ区間以外の他の区間（本編区間）に属する顔画像グループとに分類し、ＣＭ区間に属する顔画像グループおよび本編区間に属する顔画像グループのいずれか一方のグループに属する各顔画像を、他方のグループに属する各顔画像と区別して表示することができる。ＣＭ区間に属する顔画像グループおよび本編区間に属する顔画像グループのどちらのグループを選択するかは、ユーザが指定することが出来る。
【００７２】
このように、ＣＭ区間属性情報を用いることにより、ＣＭ区間に属する顔画像群を、ＣＭ区間以外の他の区間（本編区間）に属する顔画像群と区別して表示したり、あるいは逆に、ＣＭ区間以外の他の区間（本編区間）に属する顔画像群をＣＭ区間に属する顔画像群と区別して表示したりすることができる。この場合、例えば、以下のような表示制御を利用することが出来る。
【００７３】
（１）ＣＭ区間に属する顔画像群のみを表示し、ＣＭ区間以外の区間（本編区間）に属する顔画像群を表示しない。あるいは、逆に、ＣＭ区間以外の区間（本編区間）に属する顔画像群のみを表示し、ＣＭ区間に属する顔画像群を表示しない。
【００７４】
（２）ＣＭ区間に属する顔画像群を強調表示し、ＣＭ区間以外の区間（本編区間）に属する顔画像群を抑制表示する。あるいは、逆に、ＣＭ区間以外の区間（本編区間）に属する顔画像群を強調表示し、ＣＭ区間に属する顔画像群を抑制表示する。
【００７５】
また、同様にして、例えば、複数の顔画像を音楽区間に属する顔画像グループと音楽区間以外の他の区間に属する顔画像グループとに分類し、音楽区間に属する顔画像グループおよび音楽区間以外の他の区間に属する顔画像グループのいずれか一方のグループに属する各顔画像を、他方のグループに属する各顔画像と区別して表示することもできる。
【００７６】
第１表示モードおよび第２表示モードの内で使用すべき表示モードは、ユーザが選択することが出来る。また、第２表示モードにおいて、ＣＭ区間、音楽区間、トーク区間の内のどの属性に着目すべきかについても、ユーザが指定することができる。すなわち、ユーザは、ＣＭ、音楽、トークのいずれか１つの属性を指定でき、且つ“特定属性区間顔画像表示状態”と“特定属性以外区間顔画像表示状態”のどちらを使用するかも選択することができる。
【００７７】
ユーザによる属性の指定には、上述の区間バーを利用することが出来る。区間バーを利用した表示状態の切替は、例えば、次のように実行される。
【００７８】
・区間バー上のバー領域がユーザによるマウス、キーボード、リモコンユニットの操作によって選択された時は、顔画像一覧表示処理部３０１は、使用する表示モードを第１表示モードから第２表示モードに切り替え、そして、例えば“特定属性区間顔画像表示状態”を用いて顔画像の一覧を表示する。この場合、例えば、第１表示モードで表示されている複数の顔画像の中から、ユーザによって選択されたバー領域に対応する属性区間（ＣＭ区間、音楽区間、またはトーク区間）に属する顔画像群が顔画像一覧表示処理部３０１によって検出され、それら検出された顔画像群が、他の顔画像群と区別して表示される。
【００７９】
・ある属性の区間バー内に複数の部分区間（複数の部分ＣＭ区間、複数の部分音楽区間、または複数の部分トーク区間）それぞれに対応する複数のバー領域が含まれており、これら複数のバー領域の一つがユーザによって選択された時は、顔画像一覧表示処理部３０１は、使用する表示モードを第１表示モードから第２表示モードに切り替え、そして、例えば“特定属性区間顔画像表示状態”を用いて顔画像の一覧を表示する。この場合、選択されたバー領域に対応する部分区間に属する各顔画像が、他の各顔画像と区別して表示される。例えば、複数の部分ＣＭ区間の一つがユーザによって選択された時は、選択された部分ＣＭ区間に属する顔画像だけが検出され、その検出された各顔画像が、他の部分ＣＭ区間に属する各顔画像、およびＣＭ以外の他の属性区間に属する各顔画像と区別して表示される。
【００８０】
また、ＣＭ区間、音楽区間、トーク区間のみならず、例えば、ある一定値以上の歓声レベルを有する区間（歓声区間）、およびある一定値以上の盛り上がりレベルを有する区間（盛り上がり区間）などを属性区間として使用することもできる。この場合、ユーザは、ＣＭ区間、音楽区間、トーク区間、歓声区間、盛り上がり区間それぞれに対応する属性を、着目すべき属性として選択的に指定することができる。
【００８１】
次に、図５を参照して、ＴＶアプリケーションプログラム２０２の機能構成を説明する。
【００８２】
ＴＶアプリケーションプログラム２０２は、上述の顔画像一覧表示処理部３０１に加え、記録処理部４０１、インデキシング制御部４０２、再生処理部４０３等を備えている。
【００８３】
記録処理部４０１は、ＴＶチューナ１１７によって受信された放送番組データ、または外部機器から入力されるビデオデータをＨＤＤ１１１に記録する記録処理を実行する。また、記録処理部４０１は、ユーザによって予め設定された録画予約情報（チャンネル番号、日時）によって指定される放送番組データをＴＶチューナ１１７を用いて受信し、その放送番組データをＨＤＤ１１１に記録する予約録画処理も実行する。
【００８４】
インデキシング制御部４０２は、ビデオプロセッサ（インデキシング処理部）１１３を制御して、インデキシング処理（映像インデキシング処理、音声インデキシング処理）をビデオプロセッサ１１３に実行させる。ユーザは、録画対象の放送番組データ毎にインデキシング処理を実行するか否かを指定することができる。例えば、インデキシング処理の実行が指示された録画対象の放送番組データについては、その放送番組データがＨＤＤ１１１に記録された後に、インデキシング処理が自動的に開始される。また、ユーザは、既にＨＤＤ１１１に格納されている映像コンテンツデータの内から、インデキシング処理を実行すべき映像コンテンツデータを指定することもできる。
【００８５】
再生処理部４０３は、ＨＤＤ１１１に格納されている各映像コンテンツデータを再生する処理を実行する。また、再生処理部４０３は、ある映像コンテンツデータの顔画像一覧の中の一つの顔画像が選択されている状態でユーザ操作によって再生指示イベントが入力された時、選択されている顔画像が登場する時点よりも所定時間前の時点から映像コンテンツデータの再生を開始する機能を有している。
【００８６】
ユーザは、複数の属性区間を選択的に指定することにより、様々な属性に着目した顔画像一覧を見ながら、映像コンテンツデータの再生位置を決定することができる。
【００８７】
なお、インデキシング処理は、必ずしもビデオプロセッサ１１３によって実行する必要はなく、例えば、ＴＶアプリケーションプログラム２０２にインデキシング処理を実行する機能を設けてもよい。この場合、インデキシング処理は、ＴＶアプリケーションプログラム２０２の制御の下に、ＣＰＵ１０１によって実行される。
【００８８】
次に、図６乃至図１１を参照して、インデキシングビュー画面の具体的な構成について説明する。
【００８９】
図６には、顔画像一覧表示処理部３０１によってＬＣＤ１７に表示されるインデキシングビュー画面の例が示されている。このインデキシングビュー画面は、ある映像コンテンツデータ（例えば放送番組データ）をインデキシング処理することによって得られた画面である。このインデキシングビュー画面には、顔画像の一覧を表示するための上述の顔サムネイル表示エリアと、上述のレベル表示エリアと、上述の区間バーと、サムネイル画像の一覧をじゃばら形式で表示するための上述のじゃばらサムネイル表示エリアとを含んでいる。
【００９０】
ここで、じゃばら形式とは、選択されているサムネイル画像を通常サイズで表示し、他の各サムネイル画像についてはその横方向サイズを縮小して表示する表示形式である。図６においては、選択されたサムネイル画像との距離が大きいサムネイル画像ほど、その横方向サイズが縮小されている。
【００９１】
レベル表示エリアにおいては、歓声レベルの変化を示すグラフ（図６中の濃い色で示されるグラフ）と、歓声レベルの変化を示すグラフ（図６中の薄い色で示されるグラフ）が表示される。
【００９２】
区間バーは、トーク区間バーと、音楽区間バーと、ＣＭ区間バーとを含んでいる。ＣＭ区間バーにおいては、各ＣＭ区間（各部分ＣＭ区間）の位置にバー領域（図６の黒色の帯状領域）が表示される。音楽区間バーにおいては、各音楽区間（各部分音楽区間）の位置にバー領域（図６のクロスハッチングされた帯状領域）が表示される。トーク区間バーにおいては、各トーク区間（各部分トーク区間）の位置にバー領域（図６のハッチングされた帯状領域）が表示される。ユーザは、リモコンユニットのボタン、上下左右等のカーソルキーの操作により、トーク区間バー、音楽区間バーと、ＣＭ区間バーのいずれか一つを選択することができる。また、ユーザは、リモコンユニットのボタン、上下左右等のカーソルキーの操作により、選択された区間バー内の一つのバー領域を選択することもできる。
【００９３】
図７は、顔サムネイル表示エリアの構成例が示されている。
【００９４】
顔サムネイル表示エリアは、複数の行と複数の列とを含むマトリクス状に配置された複数個の顔画像表示エリアを含んでいる。図７においては、顔サムネイル表示エリアは６行×１６列から構成されている。顔サムネイル表示エリアに含まれる顔画像表示エリアの数は、９６個である。
【００９５】
列１〜列１６のそれぞれには、例えば、映像コンテンツデータの総時間長を列数（＝１６）で等間隔で分割することによって得られる、互いに同一の時間長Ｔを有する複数の時間帯がそれぞれ割り当てられる。
【００９６】
例えば、映像コンテンツデータの総時間長が２時間であるならば、その２時間が１６個の時間帯に等間隔で分割される。この場合、各時間帯の時間長Ｔは、７．５分である。例えば、列１には、先頭0:00:00から0:07:30までの時間帯が割り当てられ、列２には、0:07:30から0:15:00までの時間帯が割り当てられ、列３には、0:15:00から0:22:30までの時間帯が割り当てられる。映像コンテンツデータの総時間長に応じて、各時間帯の時間長Ｔは変化する。
【００９７】
もちろん、複数の列それぞれに割り当てられる時間帯の長さは、必ずしも同一である必要はない。
【００９８】
第１表示モードにおいては、顔画像一覧表示処理部３０１は、ビデオプロセッサ１１３によって抽出された顔画像それぞれに対応するタイムスタンプ情報に基づき、各列内の６個の顔画像表示エリア上に、当該各列に割り当てられた時間帯に属する顔画像それぞれをたとえば上述の頻度順に並べて表示する。この場合、顔画像一覧表示処理部３０１は、表示処理対象の列に割り当てられた時間帯に属する顔画像の内から行数分（６個）の顔画像を選択し、選択した行数分の顔画像それぞれを並べて表示する。
【００９９】
このように、顔サムネイル表示エリアにおいては、左端位置（1,1）を基点とし、右端位置(6,16)を映像コンテンツデータの終端とする時間軸が用いられている。
【０１００】
顔サムネイル表示エリアの各顔画像表示エリアに表示される顔画像のサイズは“大”、 “中”、“小”の内からユーザが選択することができる。行と列の数は、ユーザが選択した顔画像のサイズに応じて変化される。顔画像のサイズと行と列の数との関係は、次の通りである。
【０１０１】
（１）“大”の場合；  ３行×８列
（２）“中”の場合；  ６行×１６列
（３）“小”の場合：  １０行×２４列
“大”の場合においては、各顔画像は、例えば、１８０×１８０ピクセルのサイズで表示される。“中”の場合においては、各顔画像は、例えば、９０×９０ピクセルのサイズで表示される。“小”の場合においては、各顔画像は、例えば、６０×６０ピクセルのサイズで表示される。デフォルトの顔画像サイズは、例えば、“中”に設定されている。
【０１０２】
顔サムネイル表示エリア内の各顔画像は、選択されていない“標準”状態、選択されている“フォーカス”状態の２つの状態のいずれかに設定される。“フォーカス”状態の顔画像のサイズは、“標準”状態の時のサイズ（１８０×１８０、９０×９０、または６０×６０）よりも大きく設定される。図７においては、座標(１，１２)の顔画像が“フォーカス”状態である場合を示している。
【０１０３】
じゃばらサムネイル表示エリアに表示されるサムネイル画像の枚数は、ユーザ設定に従って、例えば２４０枚、１４４枚、９６枚、４８枚のいずれかに設定される。デフォルトは例えば２４０枚である。
【０１０４】
サムネイル画像は、選択されていない“標準”状態、選択されている“フォーカス”状態の２つの状態のいずれかに設定される。“フォーカス”状態のサムネイル画像は、他のサムネイル画像よりも大きいサイズで表示される。
【０１０５】
次に、図８を参照して、顔サムネイル表示エリアとじゃばらサムネイル表示エリアとの関係について説明する。
【０１０６】
同一列に属する顔画像表示エリア群の集合、つまり顔サムネイル表示エリア内の個々の列を“大区間”と称する。また、“大区間”をさらに分割したものを“小区間”と称する。１つの大区間に含まれる小区間の数は、じゃばらサムネイル表示エリアに表示されるサムネイル画像の数を顔サムネイル表示エリアの列数で割った商で与えられる。例えば、顔サムネイル表示エリアが６行×１６列で、じゃばらサムネイル表示エリアに表示されるサムネイル画像の数が２４０枚であるならば、１つの大区間に含まれる小区間の数は、１５（＝２４０÷１６）となる。１つの大区間は１５個の小区間を含む。換言すれば、１つの大区間に対応する時間帯には、１５枚のサムネイル画像が属することになる。
【０１０７】
じゃばらサムネイル表示エリア上のあるサムネイル画像が選択された時、顔画像一覧表示処理部３０１は、選択されたサムネイル画像のタイムスタンプ情報に基づき、顔サムネイル表示エリア内の複数の列（複数の大区間）の内で、選択されたサムネイル画像が属する時間帯が割り当てられた列（大区間）を選択する。選択される大区間は、選択されたサムネイル画像を小区間として含む大区間である。そして、顔画像一覧表示処理部３０１は、選択した大区間を強調表示する。
【０１０８】
さらに、顔画像一覧表示処理部３０１は、選択されたサムネイル画像と選択された大区間との間を接続する縦長のバーを表示する。この縦長のバーは、選択されたサムネイル画像に対応する小区間が、選択された大区間に含まれる１５個の小区間の内のどの小区間に対応するかを提示するために使用される。縦長のバーは、選択された大区間に含まれる１５個の小区間の内で、選択されたサムネイル画像に対応する小区間の位置に表示される。例えば、選択されたサムネイル画像が、ある大区間に対応する時間帯に属する１５枚のサムネイル画像の内の先頭の画像、つまり大区間内の先頭の小区間に対応する画像であるならば、選択されたサムネイル画像は、縦長のバーによって大区間の左端に接続される。また、例えば、選択されたサムネイル画像が、ある大区間に対応する時間帯に属する１５枚のサムネイル画像の内の終端の画像、つまり大区間内の終端の小区間に対応する画像であるならば、選択されたサムネイル画像は、縦長のバーによって大区間の右端に接続される。
【０１０９】
このように、じゃばらサムネイル表示エリア上のサムネイル画像が選択された時には、顔サムネイル表示エリア内の複数の列の内から、選択されたサムネイル画像が属する時間帯が割り当てられている列（大区間）が自動選択される。これにより、ユーザは、選択したサムネイル画像が、顔サムネイル表示エリア内のどの列（大区間）に対応する画像であるかを識別することができる。さらに、縦長のバーにより、ユーザは、選択したサムネイル画像が、どの列（大区間）内のどの辺りの時点に対応する画像であるかも識別することができる。
【０１１０】
また、顔画像一覧表示処理部３０１は、選択されたサムネイル画像のタイムスタンプ情報に基づいて、選択されたサムネイル画像が出現する時点を示す時間情報もインデキシングビュー画面上に表示する。
【０１１１】
“現在位置変更”ボタンは選択されているサムネイル画像を変更するための操作ボタンである。“現在位置変更”ボタンがフォーカスされている状態でユーザが左カーソルキーまたは右カーソルキーを操作すると、選択対象のサムネイル画像は、例えば１小区間単位で、左または右に移動する。
【０１１２】
図９は、ＣＭ区間バー内の１つのバー領域が選択された場合に対応する顔画像一覧表示の例を示している。
【０１１３】
例えば第１の表示モードで顔一覧表示が行われている状態で、ＣＭ区間バー内の１つのバー領域がユーザによって選択されると、顔画像一覧表示のための表示モードは、第１表示モードから第２の表示モードに切り替わる。図９においては、選択されたバー領域は枠で囲んだ状態で示されている。
【０１１４】
この場合、例えば、第１の表示モードにおいて顔サムネイル表示エリアに表示されていた複数の顔画像の内から、選択されたバー領域に対応するＣＭ区間（選択されたＣＭ区間）に属する顔画像と、他のＣＭ区間に属する顔画像とが検出される。そして、選択されたＣＭ区間に属する顔画像は例えば二重の枠で囲まれた状態で表示され、他のＣＭ区間に属する顔画像は例えば一重の枠で囲まれた状態で表示される。表示の仕方はこれに限られず、枠で示したものを強調（大きく、明るく等）表示したり、それ以外を抑制（小さく、暗く、淡く等）表示したり、顔画像の隅の方にマークを表示したり、それ以外を除外して、枠で示した顔画像のみを表示したりすることができる。
【０１１５】
ＣＭ区間バー内のバー領域以外の部分がユーザによって選択されたときは、ＣＭ区間以外の区間（本編区間）に属する顔画像が検出され、それらＣＭ区間以外の区間（本編区間）に属する顔画像を強調表示したり、ＣＭ区間に属する顔画像を抑制表示したり、ＣＭ区間に属する顔画像を除外して本編区間に属する顔画像のみを表示したりすることができる。
【０１１６】
このように、ユーザは、ＣＭ区間バー内のバー領域または当該バー領域以外の部分を選択することにより、使用する表示モードの選択と、注目すべき属性区間の指定とを行うことができ、これにより、映像コンテンツデータ全体の中のＣＭ区間のみに着目して、または映像コンテンツデータ全体の中の本編区間のみに着目して、登場する人物の顔画像の一覧を俯瞰することが出来る。
【０１１７】
なお、第２表示モードで音楽区間またはトーク区間に着目した顔画像一覧表示が行われている状態でＣＭ区間バー内のバー領域がユーザによって選択された場合には、着目すべき属性が音楽区間またはトーク区間から、ＣＭ区間に切り替えられ、ＣＭ区間に着目した顔画像一覧表示が行われる。
【０１１８】
図１０は、音楽区間バー内の１つのバー領域が選択された場合に対応する顔画像一覧表示の例を示している。
【０１１９】
例えば第１の表示モードで顔一覧表示が行われている状態で、音楽区間バー内の１つのバー領域がユーザによって選択されると、顔画像一覧表示のための表示モードは、第１表示モードから第２の表示モードに切り替わる。図１０においては、選択されたバー領域は枠で囲んだ状態で示されている。
【０１２０】
この場合、第１の表示モードにおいて顔サムネイル表示エリアに表示されていた複数の顔画像の内から、選択されたバー領域に対応する音楽区間（選択された音楽区間）に属する顔画像と、他の音楽区間に属する顔画像とが検出される。そして、選択された音楽区間に属する顔画像は例えば二重の枠で囲まれた状態で表示され、他の音楽区間に属する顔画像は例えば一重の枠で囲まれた状態で表示される。表示の仕方はこれに限られず、枠で示したものを強調（大きく、明るく等）表示したり、それ以外を抑制（小さく、暗く、淡く等）表示したり、それ以外を除外して、枠で示した顔画像のみを表示したりすることができる。
【０１２１】
このように、ユーザは、音楽区間バー内のバー領域を選択することにより、映像コンテンツデータ全体の中の音楽区間のみに着目して、登場する人物の顔画像を確認することが出来る。なお、第２表示モードでＣＭ区間またはトーク区間に着目した顔画像一覧表示が行われている状態で音楽区間バー内のバー領域がユーザによって選択された場合には、着目すべき属性がＣＭ区間またはトーク区間から、音楽区間に切り替えられ、音楽区間に着目した顔画像一覧表示が行われる。
【０１２２】
図１１は、トーク区間バー内の１つのバー領域が選択された場合に対応する顔画像一覧表示の例を示している。
【０１２３】
例えば第１の表示モードで顔一覧表示が行われている状態で、トーク区間バー内の１つのバー領域がユーザによって選択されると、顔画像一覧表示のための表示モードは、第１表示モードから第２の表示モードに切り替わる。図１１においては、選択されたバー領域は枠で囲んだ状態で示されている。
【０１２４】
この場合、第１の表示モードにおいて顔サムネイル表示エリアに表示されていた複数の顔画像の内から、選択されたバー領域に対応するトーク区間（選択されたトーク区間）に属する顔画像と、他のトーク区間に属する顔画像とが検出される。そして、選択されたトーク区間に属する顔画像は例えば二重の枠で囲まれた状態で表示され、他のトーク区間に属する顔画像は例えば一重の枠で囲まれた状態で表示される。表示の仕方はこれに限られず、枠で示したものを強調（大きく、明るく等）表示したり、それ以外を抑制（小さく、暗く、淡く等）表示したり、それ以外を除外して、枠で示した顔画像のみを表示したりすることができる。
【０１２５】
このように、ユーザは、トーク区間バー内のバー領域を選択することにより、映像コンテンツデータ全体の中のトーク区間のみに着目して、登場する人物の顔画像を確認することが出来る。なお、第２表示モードでＣＭ区間または音楽区間に着目した顔画像一覧表示が行われている状態でトーク区間バー内のバー領域がユーザによって選択された場合には、着目すべき属性がＣＭ区間または音楽区間から、トーク区間に切り替えられ、トーク区間に着目した顔画像一覧表示が行われる。
【０１２６】
図１２は、区間バーの他の構成例が示されている。
【０１２７】
図１２においては、区間バーは、２つのサブ区間バー、つまり音楽／トーク区間バーと、ＣＭ区間バーから構成されている。ＣＭ区間バーは、ＣＭ区間の位置を示す。音楽／トーク区間バーは、ＣＭ区間以外の区間（本編区間）内における音楽区間の位置およびトーク区間の位置をそれぞれ示す。ユーザによってＣＭ区間バーが選択された場合、ＣＭ区間に属する各顔画像が検出され、その検出された各顔画像が本編区間内の各顔画像と区別して表示される。またユーザによって音楽／トーク区間バーが選択された場合、本編区間内に属する各顔画像が検出され、その検出された各顔画像が、ＣＭ区間内の各顔画像と区別して表示される。またユーザによって音楽／トーク区間バー内のあるトークバー領域が選択された場合、選択されたトークバー領域に対応するトーク区間に属する各顔画像が検出され、その検出された各顔画像が、他の各顔画像と区別して表示される。さらに、ユーザによって音楽／トーク区間バー内のある音楽バー領域が選択された場合、選択された音楽バー領域に対応する音楽区間に属する各顔画像が検出され、その検出された各顔画像が、他の各顔画像と区別して表示される。
【０１２８】
次に、図１３のフローチャートを参照して、顔画像一覧表示処理部３０１によって実行される表示処理の手順を説明する。
【０１２９】
まず、顔画像一覧表示処理部３０１は、データベース１１１Ａに格納されている顔画像それぞれを、それら顔画像に対応するタイムスタンプ情報に基づいて、それら顔画像の登場時間順にソートする（ステップＳ１０１）。次いで、顔画像一覧表示処理部３０１は、ユーザによって指定された表示すべき顔画像サイズに応じて行及び列の数を決定すると共に、例えばインデキシング対象の映像コンテンツデータの総時間長を列数で均等に分割することによって、各列（大区間）に割り当てる時間帯を算出する。そして、顔画像一覧表示処理部３０１は、表示処理対象の列に割り当てられた時間帯内に属する顔画像の内から、行数分の顔画像を選択する（ステップＳ１０２）。表示処理対象の列に割り当てられた時間帯内に属する顔画像の数が行数よりも多い場合には、顔画像一覧表示処理部３０１は、例えば、出現頻度の高い顔画像を優先的に選択する処理を実行することもできる。
【０１３０】
この場合、顔画像一覧表示処理部３０１は、表示処理対象の列に割り当てられた時間帯に属する顔画像の内から、当該時間帯において登場する頻度の高い顔画像を優先的に選択する。例えば、ビデオプロセッサ１１３は、抽出した顔画像それぞれの特徴データの相関に基づいて、同一人物の顔画像それぞれを同一カテゴリーに分類するクラスタリング処理を実行することができる。この場合、図１４に示すように、顔画像それぞれは、人物毎（すなわちカテゴリー毎）に分類されてデータベース１１１Ａに格納される。図１４においては、カテゴリー１は、ある人物Ａの顔画像の集合を示しており、カテゴリー２は、ある人物Ｂの顔画像の集合を示しており、またカテゴリー３は、ある人物Ｂの顔画像の集合を示している。顔画像一覧表示処理部３０１は、登場する頻度の高い人物の顔画像を優先的に選択する。なお、ある同一人物の顔画像のみが比較的長い時間出現され続けている時間帯においては、当該時間帯に対応する列上に同一人物の異なる複数の顔画像を表示してもよい。
【０１３１】
また、表示処理対象の列に割り当てられた時間帯内に属する顔画像の数が行数よりも多い場合、顔画像一覧表示処理部３０１は、データベース１１Ａに格納された顔画像それぞれのサイズ情報に基づいて、表示処理対象の列に割り当てられた時間帯に属する顔画像の内から、サイズの大きい顔画像を優先的に選択する処理を実行することもできる。
【０１３２】
クローズアップされた顔を映すフレームから抽出される顔画像のサイズは、比較的大きなものとなる。したがって、抽出された顔画像のサイズが大きいほど、重要度の高い人物である可能性が高い。よって、サイズの大きい顔画像を優先的に選択することにより、重要度の高い人物の顔画像を優先的に表示することが可能となる。
【０１３３】
次いで、顔画像一覧表示処理部３０１は、表示処理対象の列内の複数の顔画像表示エリアに、選択した顔画像それぞれを例えば出現頻度順に並べて表示する（ステップＳ１０３）。出現頻度の高い顔画像ほど、上方の顔画像表示エリアに表示される。
【０１３４】
ステップＳ１０２，Ｓ１０３の処理は、全ての列に対する処理が完了するまで、表示処理対象の列の番号を更新しながら繰り返し実行される（ステップＳ１０４，Ｓ１０５）。この結果、顔画像表示エリアには、複数の顔画像が第１の表示モードで表示される。
【０１３５】
なお、表示処理対象の列に割り当てられた時間帯内に属する顔画像の数が行数よりも少ない場合には、対応する時間帯内に属するサムネイル画像を表示処理対象の列に表示することも出来る。
【０１３６】
全ての列に対する処理が完了すると（ステップＳ１０４のＮＯ）、顔画像一覧表示処理部３０１は、データベース１１Ａに格納されているサムネイル画像それぞれを、それらサムネイル画像それぞれのタイムスタンプ情報に基づいて、じゃばらサムネイル表示エリア上にそれらサムネイル画像が出現する時間順に一列に並べて表示する（ステップＳ１０６）。
【０１３７】
次いで、顔画像一覧表示処理部３０１は、データベース１１１Ａから歓声レベル情報および盛り上がりレベル情報を読み出し、それら歓声レベル情報および盛り上がりレベル情報に従って、レベル表示エリア上に、映像コンテンツデータの開始位置から終端位置までのシーケンス内における歓声レベルの変化を示すグラフと、シーケンス内における盛り上がりレベルの変化をそれぞれ示すグラフとを表示する（ステップＳ１０７）。
【０１３８】
次に、顔画像一覧表示処理部３０１は、データベース１１１ＡからＣＭ区間属性情報、音楽区間属性情報、およびトーク区間属性情報を読み出し、それらＣＭ区間属性情報、音楽区間属性情報、およびトーク区間属性情報に基づいて、ＣＭ区間バー、音楽区間バー、トーク区間バーをそれぞれ表示する（ステップＳ１０８）。ＣＭ区間バーには、ＣＭ区間の位置を示すバー領域が表示される。同様に、音楽区間バーには音楽区間の位置を示すバー領域が表示され、トーク区間バーにはトーク区間の位置を示すトークバー領域が表示される。
【０１３９】
次に、図１５のフローチャートを参照して、特定の属性区間に属する顔画像一覧を表示する処理の手順を説明する。
【０１４０】
ユーザによってある属性（属性区間）が指定されると（ステップＳ２０１）、顔画像一覧表示処理部３０１は、指定された属性区間に対応する区間属性情報と、顔画像インデキシング情報内の複数の顔画像それぞれのタイムスタンプ情報とに基づいて、複数の顔画像の内から、指定された属性区間に属する各顔画像を検出する（ステップＳ２０２）。
【０１４１】
ステップＳ２０２では、顔画像一覧表示処理部３０１は、指定された属性区間（ＣＭ区間、音楽区間、またはトーク区間）に対応する区間属性情報（ＣＭ区間属性情報、音楽区間属性情報、またはトーク区間属性情報）をデータベース１１１Ａから読み出し、指定された属性区間の開始時点および終了時点を特定する。そして、顔画像一覧表示処理部３０１は、複数の顔画像の内で、出現する時点が指定された属性区間の開始時点から終了時点までの時間帯に属する各顔画像を検出する。換言すれば、複数の顔画像は、指定された属性区間に属する顔画像のグループと、選択された属性区間以外の他の区間に属する顔画像のグループとに分類される。なお、ユーザによる属性区間の指定は、上述したように区間バーを用いて行うことが出来る。もちろん、属性区間（ＣＭ区間、音楽区間、トーク区間）をユーザに指定させるためのメニュー画面を利用することもでき、またリモコンユニットのボタン操作によってＣＭ区間、音楽区間、トーク区間のいずれかを指定できるようにすることもできる。
【０１４２】
次いで、顔画像一覧表示処理部３０１は、検出した各顔画像を、他の顔画像と区別して表示する処理を実行する（ステップＳ２０３）。ステップＳ２０３では、上述したように、（１）検出した各顔画像を強調表示し、且つ他の各顔画像を抑制表示する処理、（２）検出した各顔画像のみを表示し、他の各顔画像を表示対象から除外する処理、（３）他の各顔画像を強調表示し、且つ検出した各顔画像を抑制表示する処理、（４）他の各顔画像のみを表示し、検出した各顔画像を表示対象から除外する処理、等が実行される。
【０１４３】
次に、図１６のフローチャートを参照して、再生処理部４０３によって実行される再生処理の手順を説明する。
【０１４４】
ユーザ操作に応じて映像コンテンツデータの再生を指示するイベントが入力された時（ステップＳ２０１のＹＥＳ）、再生処理部４０３は、顔画像一覧表示処理部３０１と連携して、顔サムネイル表示エリア上のある顔画像がユーザによって選択されているか否かを判定する（ステップＳ２０２）。選択されている顔画像が存在するならば（ステップＳ２０２のＹＥＳ）、再生処理部４０３は、選択されている顔画像のタイムスタンプ情報に基づいて、選択されている顔画像が登場する時点を検出する（ステップＳ２０３）。そして、再生処理部４０３は、検出された時点よりも所定時間前の時点、たとえば、２秒前の時点から、映像コンテンツデータの再生を開始する（ステップＳ２０６）。
【０１４５】
なお、じゃばらサムネイル表示エリア上のあるサムネイル画像が選択されている状態で映像コンテンツデータの再生を指示するイベントが入力された時には、その選択されているサムネイル画像のタイムスタンプ情報に基づいて、再生処理部４０３は、選択されているサムネイル画像が出現する時点よりも所定時間前の時点、たとえば、２秒前の時点から、映像コンテンツデータの再生を開始する。
【０１４６】
以上のように、本実施形態においては、映像コンテンツデータ全体ではなく、映像コンテンツデータ内の特定の属性区間に着目して登場人物の一覧をユーザに提示することができる。よって、ユーザは、例えば、映像コンテンツデータ内のＣＭ区間またはＣＭ区間以外の区間（本編区間）に着目して映像コンテンツデータを俯瞰できる。また他の属性区間（音楽、トーク、歓声、盛り上がり、本編、等）に着目して映像コンテンツデータを俯瞰することもできる。
【０１４７】
さらに、本実施形態においては、映像コンテンツデータ全体を対象に顔画像の一覧を表示する第１の表示モードと、映像コンテンツデータ全体の中の特定の属性区間に着目して顔画像の一覧を表示する第２の表示モードとを選択的に使用することができる。よって、映像コンテンツデータを再生することなく、映像コンテンツデータ全体の中のどの辺りの時間帯にどの人物が登場するのかをユーザに提示でき、さらに特定の属性区間に着目した登場人物の一覧をユーザに提示することができる。
【０１４８】
なお、本実施形態では、インデキシング処理部として機能するビデオプロセッサ１１３によってインデキシング情報（顔画像インデキシング情報、区間属性情報、等）を生成したが、例えば、放送番組データ内に予め当該放送番組データに対応するインデキシング情報が含まれている場合には、それを利用することができる。必要なインデキシング情報がすべて揃っていれば、インデキシング処理を行う必要はない。よって、本実施形態の顔画像一覧表示機能は、データベース１１１Ａと顔画像一覧表示処理部３０１のみによっても実現することが出来る。
【０１４９】
また、本実施形態では、複数種の属性区間を使用する場合を例示したが、例えばＣＭ区間のような、特定の１つの属性区間のみを使用する構成であってもよい。
【０１５０】
また、本実施形態では、第１の表示モードでは通常の顔一覧、第２の表示モードでは選択された属性に着目した区別の可能な顔一覧を、それぞれ表示するようになっているが、例えば第２の表示モードでは選択された属性区間に属する顔画像のグループの顔一覧を表示し、第１の表示モードでは選択された属性区間以外の他の区間に属する顔画像のグループの顔一覧を表示する構成であってもよい。
【０１５１】
また、本実施形態の顔サムネイル表示エリアにおいては、左端位置を基点とし、右端位置を映像コンテンツデータの終端とする時間軸が用いられているが、例えば映像コンテンツデータの一部分について、左端位置を基点、右端位置を終端としてもよく、また、左右逆でもよい。また、上下方向と左右方向の配置を逆にしてもよい。
【０１５２】
また、本実施形態では、区間属性情報として開始時点を示す時間情報と終了時点を示す時間情報とを用いる例を説明したが、区間属性情報は各区間の開始および終了の時点を規定する情報であればよいので、区間の開始時点を示す情報と区間の時間長を示す情報とを区間属性情報として用いても良い。
【０１５３】
また、本実施形態の顔画像一覧表示処理の手順は全てソフトウェアによって実現することができるので、このソフトウェアをコンピュータ読み取り可能な記憶媒体を通じて通常のコンピュータに導入することにより、本実施形態と同様の効果を容易に実現することができる。
【０１５４】
また、本実施形態の電子機器はコンピュータ１０によって実現するのみならず、例えば、ＨＤＤレコーダ、ＤＶＤレコーダ、テレビジョン装置といった様々なコンシューマ電子機器によって実現することもできる。この場合、ＴＶアプリケーションプログラム２０２の機能は、ＤＳＰ、マイクロコンピュータのようなハードウェアによって実現することができる。
【０１５５】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。  
以下、本願原出願の特許査定時の特許請求の範囲に記載された発明を付記する。  
［１］  映像コンテンツデータから抽出された複数の顔画像と前記各顔画像が前記映像コンテンツデータ内に登場する時点を示すタイムスタンプ情報とを含む顔画像インデキシング情報と、前記映像コンテンツデータ内に含まれる、コマーシャル区間、音楽が流れている音楽区間、および人物によるトークが行われているトーク区間を含む複数の属性区間の内の少なくとも１つの所定属性区間の開始および終了の時点を規定する区間属性情報とを格納する記憶装置と、  
前記区間属性情報と前記複数の顔画像それぞれに対応するタイムスタンプ情報とに基づいて、前記顔画像インデキシング情報に含まれる複数の顔画像を前記所定属性区間内に属する第１の顔画像グループと前記所定属性区間以外の他の区間に属する第２の顔画像グループとに分類し、前記第１の顔画像グループおよび前記第２の顔画像グループのいずれか一方のグループに属する各顔画像を、他方のグループに属する各顔画像と区別して表示エリア上に表示する顔画像一覧表示手段とを具備することを特徴とする電子機器。  
［２］  前記顔画像一覧表示手段は、前記一方のグループに属する各顔画像を他方のグループに属する各顔画像と区別して表示エリア上に表示するために、前記他方のグループに属する各顔画像が表示されない状態で前記一方のグループに属する各顔画像を前記表示エリア上に表示することを特徴とする［１］記載の電子機器。  
［３］  前記顔画像一覧表示手段は、前記区間属性情報に基づいて、前記映像コンテンツデータの開始位置から終端位置までのシーケンス内における前記所定属性区間の位置を示すバー領域を含む区間バーをさらに表示することを特徴とする［１］記載の電子機器。  
［４］  前記顔画像一覧表示手段は、前記顔画像インデキシング情報に含まれる複数の顔画像の一覧を前記表示エリア上に表示する第１の表示モードと、前記第１の顔画像グループおよび前記第２の顔画像グループのいずれか一方のグループに属する各顔画像を他方のグループに属する各顔画像と区別して前記表示エリア上に表示する第２の表示モードとを含む複数の表示モードの中から選択されたいずれか１つの表示モードで顔画像の一覧を前記表示エリア上に表示するように構成されており、前記顔画像の一覧が前記第１表示モードで前記表示エリア上に表示されている状態で、前記区間バーのバー領域がユーザによって選択された場合、使用する表示モードを前記第１表示モードから前記第２表示モードに切り替えることを特徴とする［３］記載の電子機器。  
［５］  前記顔画像一覧表示手段は、前記所定属性区間が前記映像コンテンツデータの開始位置から終端位置までのシーケンス内に分散して存在する複数の部分区間を含む場合、前記映像コンテンツデータの開始位置から終端位置までのシーケンス内における前記複数の部分区間の位置それぞれを示す複数のバー領域を含む区間バーをさらに表示することを特徴とする［１］記載の電子機器。  
［６］  前記顔画像一覧表示手段は、前記顔画像インデキシング情報に含まれる複数の顔画像の一覧を前記表示エリア上に表示する第１の表示モードと、前記第１の顔画像グループおよび前記第２の顔画像グループのいずれか一方のグループに属する各顔画像を他方のグループに属する各顔画像と区別して前記表示エリア上に表示する第２の表示モードとを含む複数の表示モードの中から選択されたいずれか１つの表示モードで顔画像の一覧を前記表示エリア上に表示するように構成されており、前記顔画像の一覧が前記第１表示モードで前記表示エリアに表示されている状態で、前記区間バー内の前記複数のバー領域の一つがユーザによって選択された場合、使用する表示モードを前記第１表示モードから前記第２表示モードに切り替え、且つ前記選択されたバー領域に対応する部分区間に属する各顔画像を、他の各顔画像と区別して表示することを特徴とする［５］記載の電子機器。  
［７］  前記区間属性情報は、前記映像コンテンツデータの各部分データ毎に歓声レベルおよび盛り上がりレベルの少なくとも一方を示すレベル情報を含み、  
前記顔画像一覧表示手段は、前記レベル情報に基づいて、前記映像コンテンツデータの開始位置から終端位置までのシーケンス内における歓声レベルの変化および盛り上がりレベルの変化の少なくとも一方を示すレベル表示情報をさらに表示することを特徴とする［１］記載の電子機器。  
［８］  前記表示エリアに表示された顔画像の中の一つがユーザによって選択されている状態で前記映像コンテンツデータの再生を指示するイベントが入力された場合、前記タイムスタンプ情報に基づき、前記選択されている顔画像が登場する時点よりも所定時間前の時点から前記映像コンテンツデータの再生を開始する再生処理手段をさらに具備することを特徴とする［１］記載の電子機器。  
［９］  前記表示エリアは、複数の行および複数の列を含むマトリクス状に配置された複数の顔画像表示エリアを含み、前記複数の列それぞれには、前記映像コンテンツデータの総時間長を構成する複数の時間帯がそれぞれ割り当てられており、  
前記顔画像一覧表示手段は、前記複数の顔画像それぞれに対応するタイムスタンプ情報に基づき、前記各列の顔画像表示エリア上に当該各列に割り当てられた時間帯に属する顔画像それぞれを並べて表示する第１の表示モードと、前記第１の顔画像グループおよび前記第２の顔画像グループのいずれか一方のグループに属する各顔画像を他方のグループに属する各顔画像と区別して前記表示エリア上に表示する第２の表示モードとを含む複数の表示モードの中から選択されたいずれか１つの表示モードで顔画像の一覧を前記表示エリア上に表示するように構成されていることを特徴とする［１］記載の電子機器。  
［１０］  映像コンテンツに含まれる動画像データから複数の顔画像を抽出すると共に、抽出された各顔画像が前記映像コンテンツデータ内に登場する時点を示すタイムスタンプ情報を出力する第１のインデキシング処理と、前記映像コンテンツに含まれるオーディオデータを分析し、前記映像コンテンツデータ内に含まれる、コマーシャル区間、音楽が流れている音楽区間、および人物によるトークが行われているトーク区間を含む複数の属性区間の内の少なくとも１つの所定属性区間の開始および終了の時点を規定する区間属性情報を出力する第２のインデキシング処理とを実行するインデキシング処理部と、  
前記タイムスタンプ情報に基づいて、前記抽出された顔画像の一覧を表示エリア上に表示する顔画像一覧表示手段であって、顔画像表示エリア上には顔画像それぞれが並べて表示される、顔画像一覧表示手段とを具備し、  
前記顔画像一覧表示手段は、  
前記区間属性情報に基づいて、前記映像コンテンツデータの開始位置から終端位置までのシーケンス内における前記所定属性区間の位置を示すバー領域を含む区間バーを表示し、前記区間バーのバー領域がユーザによって選択された場合、前記区間属性情報と前記複数の顔画像それぞれに対応する前記タイムスタンプ情報とに基づいて、前記所定属性区間内に属する顔画像を検出し、前記検出された各顔画像を他の各顔画像と区別して前記表示エリアに表示するように構成されていることを特徴とする電子機器。  
［１１］  映像コンテンツデータに登場する顔画像の一覧を表示する顔画像表示方法であって、  映像コンテンツに含まれる動画像データから複数の顔画像を抽出すると共に、抽出された各顔画像が前記映像コンテンツデータ内に登場する時点を示すタイムスタンプ情報を出力する第１のインデキシング処理と、前記映像コンテンツに含まれるオーディオデータを分析し、前記映像コンテンツデータ内に含まれる、コマーシャル区間、音楽が流れている音楽区間、および人物によるトークが行われているトーク区間を含む複数の属性区間の内の少なくとも１つの所定属性区間の開始および終了の時点を規定する区間属性情報を出力する第２のインデキシング処理とを実行するステップと、  
前記区間属性情報と前記抽出された複数の顔画像それぞれに対応するタイムスタンプ情報とに基づいて、前記抽出された複数の顔画像を前記所定属性区間内に属する第１の顔画像グループと前記所定属性区間以外の他の区間に属する第２の顔画像グループとに分類するステップと、  
前記第１の顔画像グループおよび前記第２の顔画像グループのいずれか一方のグループに属する各顔画像を、他方のグループに属する各顔画像と区別して表示エリア上に表示するステップとを具備することを特徴とする顔画像表示方法。  
［１２］  映像コンテンツデータから抽出された複数の顔画像と前記各顔画像が前記映像コンテンツデータ内に登場する時点を示すタイムスタンプ情報とを含む顔画像インデキシング情報と、前記映像コンテンツデータ内に含まれる、コマーシャル区間、音楽が流れている音楽区間、および人物によるトークが行われているトーク区間を含む複数の属性区間の内の少なくとも１つの所定属性区間の開始および終了の時点を規定する区間属性情報とを格納するデータベースを使用することによって、前記映像コンテンツデータに登場する顔画像の一覧を表示する処理をコンピュータに実行させるプログラムであって、  
前記区間属性情報と前記抽出された複数の顔画像それぞれに対応するタイムスタンプ情報とに基づいて、前記抽出された複数の顔画像を前記所定属性区間内に属する第１の顔画像グループと前記所定属性区間以外の他の区間に属する第２の顔画像グループとに分類する手順と、  
前記第１の顔画像グループおよび前記第２の顔画像グループのいずれか一方のグループに属する各顔画像を、他方のグループに属する各顔画像と区別して表示エリア上に表示する手順とを前記コンピュータに実行させることを特徴とするプログラム。
【符号の説明】
【０１５６】
１０…電子機器（コンピュータ）、１１１Ａ…データベース、１１３…ビデオプロセッサ、１１７…ＴＶチューナ、３０１…顔画像一覧表示処理部、４０２…インデキシング制御部、４０３…再生処理部。
【図１】
0005232291.tif 000002
【図２】
0005232291.tif 000003
【図３】
0005232291.tif 000004
【図４】
0005232291.tif 000005
【図５】
0005232291.tif 000006
【図６】
0005232291.tif 000007
【図７】
0005232291.tif 000008
【図８】
0005232291.tif 000009
【図９】
0005232291.tif 000010
【図１０】
0005232291.tif 000011
【図１１】
0005232291.tif 000012
【図１２】
0005232291.tif 000013
【図１３】
0005232291.tif 000014
【図１４】
0005232291.tif 000015
【図１５】
0005232291.tif 000016
【図１６】
0005232291.tif 000017